(57)【要約】【課題】薄片試料（ウェーハ等）のエッジプロファイルを高精度に測定すること。【解決手段】ＬＥＤ駆動回路１１により，１つの平面内の複数の位置各々に配置された複数のＬＥＤ１２を順次切り替えて点滅させることにより，ウェーハ１の測定部位Ｐに対し，順次異なる照射角度で光を照射し，その照射ごとに，計算機３０’により，測定部位Ｐからの反射光の輝度分布を表す画像データを，２つのカメラ２０Ｒ，２０Ｌを通じて取得し，さらに，計算機３０’により，各ＬＥＤ１２に対応した画像データ（反射光の輝度分布）と光の照射角度φとに基づいて，反射光の輝度がピークとなるときの光の照射角度を推定することにより，測定部位Ｐの表面角度の分布及びエッジプロファイルの演算を行い，それらエッジプロファイルを，厚み測定システムにより測定したウェーハ１の厚みに基づいてつなぎ合せることにより，測定部位Ｐの表面形状を測定する。【選択図】図１３
2008298546.tif 000002
【特許請求の範囲】
【請求項１】
薄片試料の端面の形状を測定する形状測定装置であって，
一の平面内の複数の位置各々で光源を点灯させることにより，前記薄片試料における端面及びその近傍の厚み方向両側の面を含む測定部位に対して順次異なる照射角度で光を照射する第１の光照射手段と，
前記測定部位に対して各々異なる方向に配置され，前記第１の光照射手段の光照射による前記測定部位からの略正反射方向への反射光の一次元若しくは二次元の輝度分布を検出する複数の光検出手段と，
前記第１の光照射手段により順次異なる照射角度で光が照射されるごとに前記測定部位からの反射光の輝度分布を前記光検出手段を通じて取得する反射光輝度取得手段と，
複数の前記反射光輝度取得手段各々により取得された複数の前記反射光の輝度分布ごとに，該反射光の輝度分布及び前記第１の光照射手段により照射された光の照射角度に基づいて，前記測定部位の一部の領域の表面角度の分布を演算する表面角度分布演算手段と，
前記測定部位における前記厚み方向両側の面の部分について前記薄片試料の厚みを測定する厚み測定手段と，
前記表面角度分布演算手段による前記一部の領域の表面角度の分布の演算結果又は該演算結果に基づく前記一部の領域の表面形状各々を，前記薄片試料の厚み方向におけるそれらの相対位置を前記厚み測定手段の測定結果に基づき調整してつなぎ合わせる処理を実行することにより，前記測定部位全体の表面角度の分布又は表面形状を演算するつなぎ合わせ演算手段と，
を具備してなることを特徴とする形状測定装置。
【請求項２】
前記光検出手段が，前記測定部位における前記厚み方向両側の面各々の二次元の像を撮像する２つの撮像手段を含み，
前記厚み測定手段が，
前記測定部位における前記厚み方向両側の面各々に光を照射する第２の光照射手段と，
前記第２の光照射手段により光が照射された前記測定部位における前記厚み方向両側の面各々の像を前記２つの撮像手段を通じて取得し，取得した像に基づいて光の照射位置を検出することにより前記薄片試料の厚みを算出する厚み算出手段と，
を具備してなる請求項１に記載の形状測定装置。
【請求項３】
前記表面角度分布演算手段が，前記光検出手段の光検出範囲における複数の演算対象位置各々について，前記光の照射角度と前記反射光の輝度との対応関係に基づいて前記反射光の輝度がピークとなるときの前記光の照射角度を推定する演算を行うことにより，前記演算対象位置各々の表面角度を算出してなる請求項１又は２のいずれかに記載の形状測定装置。
【請求項４】
前記第１の光照射手段が，前記一の平面内の複数の位置各々に配置された複数の光源を順次切り替えて点灯させることにより，前記測定部位に対して順次異なる照射角度で光を照射する切替型光照射手段である請求項１〜３のいずれかに記載の形状測定装置。
【請求項５】
前記切替型光照射手段における複数の光源が，前記測定部位の配置位置を中心とする円弧上に配置されてなる請求項４に記載の形状測定装置。
【請求項６】
複数の前記光検出手段が，前記測定部位を基点として約９０°をなす方向に配置された２つの光検出手段である請求項１〜５のいずれかに記載の形状測定装置。
【請求項７】
前記薄片試料が薄板状の半導体ウェーハであり，
前記厚み測定手段が，前記半導体ウェーハの表裏両面におけるベベル部との境界位置から略１ｍｍ内側の位置において前記半導体ウェーハの厚みを測定してなる請求項１〜６のいずれかに記載の形状測定装置。
【請求項８】
薄片試料の端面の形状を測定する形状測定方法であって，
一の平面内の複数の位置各々で光源を点灯させる第１の光照射手段により，前記薄片試料の端面及びその近傍の厚み方向両側の面を含む測定部位に対して順次異なる照射角度で光を照射する第１の光照射工程と，
前記測定部位に対して各々異なる方向に配置された光検出手段により，前記第１の光照射工程の光照射による前記測定部位からの略正反射方向への反射光の一次元若しくは二次元の輝度分布を検出する光検出工程と，
前記第１の光照射工程により順次異なる照射角度で光が照射されるごとに前記測定部位からの反射光の輝度分布を前記光検出工程の実行により取得する反射光輝度取得工程と，
前記反射光輝度取得工程により取得された複数の前記反射光の輝度分布ごとに，該反射光の輝度分布及び前記第１の光照射工程により照射された光の照射角度に基づいて，前記測定部位の一部の領域の表面角度の分布を演算する表面角度分布演算工程と，
所定の厚み測定手段により前記測定部位における前記厚み方向両側の面の部分について前記薄片試料の厚みを測定する厚み測定工程と，
所定の演算手段により，前記表面角度分布演算工程による前記一部の領域の表面角度の分布の演算結果又は該演算結果に基づく前記一部の領域の表面形状各々を，前記薄片試料の厚み方向におけるそれらの相対位置を前記厚み測定工程の測定結果に基づき調整してつなぎ合わせる処理を実行することにより，前記測定部位全体の表面角度の分布又は表面形状を演算するつなぎ合わせ演算工程と，
を実行してなることを特徴とする形状測定方法。
【請求項９】
前記光検出手段が，前記測定部位における前記厚み方向両側の面各々の二次元の像を撮像する２つの撮像手段を含み，
前記厚み測定工程において，
所定の第２の光照射手段により前記測定部位における前記厚み方向両側の面各々に光を照射する第２の光照射工程と，
前記第２の光照射工程により光が照射された前記測定部位における前記厚み方向両側の面各々の像を前記２つの撮像手段を通じて取得し，取得した像に基づいて光の照射位置を検出することにより前記薄片試料の厚みを算出する処理を所定の演算手段により実行する厚み算出工程と，
を実行してなる請求項８に記載の形状測定方法。
【発明の詳細な説明】
【技術分野】
【０００１】
本発明は，半導体ウェーハ，ハードディスク用のアルミサブトレート，ガラスサブストレートなどの薄片試料の端面の形状を測定する形状測定装置及びその方法に関するものである。
【背景技術】
【０００２】
半導体ウェーハ（以下，ウェーハという）の製造時や，ウェーハを用いたデバイス製造時において，ウェーハの端部（縁部）が，他の部品やウェーハ保持部材と接触することによって傷ついたり，欠けたりする場合がある。さらに，その傷や欠けが原因で，ウェーハが割れることもある。このウェーハの端部における傷や欠けの生じやすさは，ウェーハの端面（いわゆるエッジプロファイル部）の形状と関係があると考えられている。このため，ウェーハに代表される薄片試料（板状の試料）のエッジプロファイルを正しく測定することは重要である。なお，ここでいう端面の形状は，ウェーハの厚み方向（一次元方向）のプロファイル，即ち，厚み方向断面の形状であり，以下，エッジプロファイルという。
一方，非特許文献１には，ウェーハの縁部を挟む一方の側から光を照射し，他方の側に配置されたカメラによってウェーハの投影映像を撮像し，これにより得られる像の形状（輪郭）によってウェーハのエッジプロファイルを測定する技術が示されている。
また，特許文献１には，試料の傾きを変化させつつ，試料の表面（鏡面）に向けて光を照射するとともに，その照射方向と同軸方向に反射してくる反射光のみの像をテレセントリックレンズを通じて取得し，得られた像から試料表面の角度分布，即ち，試料表面の形状を測定する表面検査装置が示されている。
【特許文献１】特開平１０−２６７６３６号公報
【非特許文献１】「ウェハのエッジ・ノッチ形状の測定装置」，電子材料，1997年8月号
【発明の開示】
【発明が解決しようとする課題】
【０００３】
しかしながら，非特許文献１に示されるような投影方式の形状測定では，エッジプロファイルの測定部位が，投影方向（光照射方向）の前後の部分よりも窪んでいる形状（以下，窪み形状という）を有する場合には，エッジプロファイルを測定できないという問題点があった。例えば，ウェーハには，その結晶方向を示すためのノッチと呼ばれる半円形状の切り欠き部（前記窪み形状の一例）が形成されているが，非特許文献１に示される投影方式の形状測定では，そのノッチ部分のエッジプロファイルを測定できない。
また，特許文献１に示されるように，試料の傾きを変化させつつ，光の照射方向と同軸方向に反射する反射光を検出する測定は，試料表面のわずかな凹凸による微小な表面角度の分布の測定に適用されるものである。この特許文献１に示される測定技術を，エッジプロファイルの測定に適用する場合，表面角度を求めたい複数の測定ポイントに光を照射するごとに，試料の傾きを変化させる必要が生じる。このため，特許文献１に示される測定技術を，表面角度がほぼ１８０°変化する形状を測定するエッジプロファイルの測定に適用することは，試料の支持機構が複雑になる等の阻害要因があることから，事実上困難であるという問題点があった。
従って，本発明は上記事情に鑑みてなされたものであり，その目的とするところは，半導体ウェーハなどの薄片試料のエッジプロファイル（端面の厚み方向断面の形状）の測定に適した形状測定装置及びその方法を提供することにある。
【課題を解決するための手段】
【０００４】
上記目的を達成するために本発明（後述する第２発明に相当）に係る形状測定装置は，例えば半導体ウェーハ等の薄片試料の端面の形状を測定する装置であり，以下の（１−１）〜（１−６）に示す各構成要素を備えるものである。
（１−１）一の平面内の複数の位置各々で光源を点灯させることにより，前記薄片試料の端面及びその近傍の厚み方向両側の面を含む測定部位に対して順次異なる照射角度で光を照射する第１の光照射手段。
（１−２）前記測定部位に対して各々異なる方向に配置され，前記第１の光照射手段の光照射による前記測定部位からの略正反射方向への反射光の一次元若しくは二次元の輝度分布を検出する複数の光検出手段。
（１−３）前記第１の光照射手段により順次異なる照射角度で光が照射されるごとに前記測定部位からの反射光の輝度分布を前記光検出手段を通じて取得する反射光輝度取得手段。
（１−４）複数の前記反射光輝度取得手段各々により取得された複数の前記反射光の輝度分布ごとに，その反射光の輝度分布及び前記第１の光照射手段により照射された光の照射角度に基づいて，前記測定部位の一部の領域の表面角度の分布を演算する表面角度分布演算手段。
（１−５）前記測定部位における前記厚み方向両側の面の部分について前記薄片試料の厚みを測定する厚み測定手段。
（１−６）前記表面角度分布演算手段による前記一部の領域の表面角度の分布の演算結果又はその演算結果に基づく前記一部の領域の表面形状各々を，前記薄片試料の厚み方向におけるそれらの相対位置を前記厚み測定手段の測定結果に基づき調整してつなぎ合わせる処理を実行することにより，前記測定部位全体の表面角度の分布又は表面形状を演算するつなぎ合わせ演算手段。
例えば，複数の前記光検出手段が，前記測定部位を基点として約９０°をなす方向に配置された２つの光検出手段であることが考えられる。
【０００５】
上記構成を備えた本発明に係る形状測定装置を用いれば，半導体ウェーハなどの薄片試料の表面角度の分布を測定でき，その表面角度の分布に基づいてエッジプロファイル（端面の厚み方向断面の形状）を正しく測定できる。また，半導体ウェーハのノッチ部のような前記窪み形状を有する端面についても，エッジプロファイルを測定できる。
即ち，本発明に係る形状測定装置において，前記反射光輝度取得手段により取得される反射光の輝度分布は，照射光が薄片試料の端面に正反射して前記光検出手段に到達した部分の輝度が最も高くなる。このため，前記表面角度分布演算手段は，光の入射角と反射角とが等しいという正反射の特性に基づいて，測定部位の表面角度の分布を求めることができる。その詳細については後述する。
なお，前記第１の光照射手段における光源の点灯位置と前記光検出手段の配置位置とが，それぞれ略同一の平面内に位置する場合や，或いはそれぞれ異なる平面内に位置する場合が考えられる。
【０００６】
ところで，前記光検出手段としてＣＣＤカメラ等を用いる場合，１つの前記光検出手段による光の検出範囲には制限がある。この制限は，エッジプロファイル測定において測定可能な表面角度の最大範囲の制限につながる。
これに対し，本発明に係る形状測定装置は，複数の前記光検出手段各々を通じて得られた前記反射光の輝度分布ごとに前記測定部位の一部の領域の表面角度の分布を演算し，それら表面角度の分布又はそれに基づく前記一部の領域の表面形状をつなぎ合わせることにより前記測定部位全体の表面角度の分布を演算する。このため，１つの前記光検出手段による光の検出範囲の制限を超えて，エッジプロファイル測定における測定可能な表面角度の最大範囲を広げることができる。しかも，そのつなぎ合わせ処理の際に，表面角度の分布又はそれに基づく前記一部の領域の表面形状を，前記薄片試料の厚み方向におけるそれらの相対位置を厚み測定の結果に基づき調整してつなぎ合わせるので，測定部位全体の表面形状を高精度で測定することができる。
【０００７】
光が照射された前記薄片試料の表裏各面を撮像した場合，得られた像における光照射部の位置（高輝度部分の位置）は，撮像手段（カメラ）と薄片試料の表面との距離に応じて変化し，その光照射部の位置に基づく三角測量処理によって簡易に撮像手段と薄片試料表面との距離を算出できる。
そこで，前記光検出手段が，前記測定部位における前記厚み方向両側の面各々の二次元の像を撮像する２つの撮像手段を含む場合に，前記厚み測定手段が，次の（１−７）及び（１−８）に示す構成要素を備えることが考えられる。
（１−７）前記測定部位における前記厚み方向両側の面各々に光を照射する第２の光照射手段。
（１−８）前記第２の光照射手段により光が照射された前記測定部位における前記厚み方向両側の面各々の像を前記２つの撮像手段を通じて取得し，取得した像に基づいて光の照射位置を検出することにより前記薄片試料の厚みを算出する厚み算出手段。
なお，前記測定部位における前記厚み方向両側の面は，前記薄片試料の表裏各面の一部（例えば，半導体ウェーハにおけるエッジプロファイル部の近傍の平坦部分。以下，縁部という）である。
これにより，形状測定用の前記２つの撮像手段（前記光検出手段の一例）を，厚み測定にも兼用することができ，薄片試料の厚みをシンプルな構成によって簡易に測定できる。
【０００８】
ところで，前記光照射手段による光の照射角度の変化幅（変更幅）をごく小さくすれば，光の照射角度を変化させるごとに，反射光の輝度が最も高くなる位置を求めることにより，高い空間分解能で測定部位の表面角度の分布を算出することができる。しかしながら，光の照射角度の変化幅を小さくすることには限界がある。また，光の照射角度の変化幅を小さくするほど，反射光の輝度分布を採取する回数が増え，測定時間が長くなる。さらに，前記反射光輝度取得手段で取得すべきデータの点数が増え，必要メモリ容量の増大にもつながる。
そこで，前記形状測定装置において，前記表面角度分布演算手段が，前記光検出手段の光検出範囲における複数の位置（以下，演算対象位置という）各々について，前記光の照射角度と前記反射光の輝度との対応関係に基づいて前記反射光の輝度がピークとなるときの前記光の照射角度を推定する演算を行うことにより，前記演算対象位置各々の表面角度を算出するものであれば好適である。ここで，前記反射光の輝度がピークとなるときの前記光の照射角度の推定値は，例えば，前記光の照射角度と前記反射光の輝度との対応関係に基づく内挿演算処理などによって求めることができる。
これにより，光の照射角度の変化幅が比較的大きくても，高い空間分解能で測定部位の表面角度の分布を算出することができる。
【０００９】
また，前記第１の光照射手段としては，例えば，一の平面内の複数の位置各々に配置された複数の光源を順次切り替えて点灯させることにより，前記測定部位に対して順次異なる照射角度で光を照射する切替型光照射手段であることが考えられる。この切替型光照射手段を採用する場合，複数の光源が，前記測定部位の配置位置を中心とする円弧上に配置されたものが考えられる。この構成によれば，可動機構のないシンプルかつ位置精度の高い装置を実現できる。
また，前記切替型光照射手段が，複数の光源を順次切り替えて点灯させる過程において，複数の前記光検出手段各々に対応する複数の光源を同時に点灯させるものが考えられる。
これにより，測定時間を短縮できる。
なお，前記第１の光照射手段が，所定の光源を一の平面内の複数の位置各々に順次移動させて点灯させることにより，前記測定部位に対して順次異なる照射角度で光を照射する移動型光照射手段であることも考えられる。この構成によれば，光源の数を少なくできる。
また，後述するように，前記薄片試料が薄板状の半導体ウェーハである場合，前記厚み測定手段が，その半導体ウェーハの表裏両面におけるエッジプロファイル部（面取りされた端面（側面））との境界位置から５ｍｍ内側までの範囲，特に，前記境界位置から約１ｍｍ内側の位置においてその半導体ウェーハの厚みを測定することが望ましい。
【００１０】
また，本発明（後述する第２発明に相当）は，以上に示した形状測定装置を用いた測定方法として捉えることもできる。
即ち，本発明に係る形状測定方法は，薄片試料の端面の形状を測定する方法であって，以下の（２−１）〜（２−６）に示す各工程を実行するものである。
（２−１）一の平面内の複数の位置各々で光源を点灯させる第１の光照射手段により，前記薄片試料の端面及びその近傍の厚み方向両側の面を含む測定部位に対して順次異なる照射角度で光を照射する第１の光照射工程。
（２−２）前記測定部位に対して各々異なる方向に配置された光検出手段により，前記第１の光照射工程の光照射による前記測定部位からのほぼ正反射方向への反射光の一次元若しくは二次元の輝度分布を検出する光検出工程。
（２−３）前記第１の光照射工程により順次異なる照射角度で光が照射されるごとに前記測定部位からの反射光の輝度分布を前記光検出工程の実行により取得する反射光輝度取得工程。
（２−４）前記反射光輝度取得工程により取得された複数の前記反射光の輝度分布ごとに，その反射光の輝度分布及び前記第１の光照射工程により照射された光の照射角度に基づいて，前記測定部位の一部の領域の表面角度の分布を演算する表面角度分布演算工程。
（２−５）所定の厚み測定手段により前記測定部位における前記厚み方向両側の面の部分について前記薄片試料の厚みを測定する厚み測定工程。
（２−６）所定の演算手段により，前記表面角度分布演算工程による前記一部の領域の表面角度の分布の演算結果又はその演算結果に基づく前記一部の領域の表面形状各々を，前記薄片試料の厚み方向におけるそれらの相対位置を前記厚み測定工程の測定結果に基づき調整してつなぎ合わせる処理を実行することにより，前記測定部位全体の表面角度の分布又は表面形状を演算するつなぎ合わせ演算工程。
【００１１】
また，前記光検出手段が，前記測定部位における前記厚み方向両側の面各々の二次元の像を撮像する２つの撮像手段を含む場合に，前記厚み測定工程において，次の（２−７）及び（２−８）に示す各工程を実行すればなお好適である。
（２−７）所定の第２の光照射手段により前記測定部位における前記厚み方向両側の面各々に光を照射する第２の光照射工程。
（２−８）前記第２の光照射工程により光が照射された前記測定部位における前記厚み方向両側の面各々の像を前記２つの撮像手段を通じて取得し，取得した像に基づいて光の照射位置を検出することにより前記薄片試料の厚みを算出する処理を所定の演算手段により実行する厚み算出工程。
以上に示した各工程を実行する形状測定方法によれば，本発明に係る前記形状測定装置と同様の作用効果が得られる。
【発明の効果】
【００１２】
本発明（後述する第２発明に相当）によれば，半導体ウェーハなどの薄片試料のエッジプロファイルを正しく（高精度で）測定できる。また，半導体ウェーハのノッチ部のような前記窪み形状を有する端面についても，エッジプロファイルを測定できる。また，光切断法により薄片試料の端面の形状測定を行う手段又は工程を併せ持つことにより，光沢面又は粗面のいずれの測定部位（端面）であってもその形状を測定できる。
【発明を実施するための最良の形態】
【００１３】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は第１発明の実施形態に係る形状測定装置Ｚ１の概略構成図，図２は光照射角度及び表面角度の定義を表す図，図３は形状測定装置Ｚ１に採用され得るテレセントリックレンズ方式のカメラの特性を表す図，図４は形状測定装置Ｚ１にテレセントリックレンズ方式のカメラを採用した場合の測定部位の表面角度と光路との関係を模式的に表した図，図５は形状測定装置Ｚ１により算出された測定部位の表面角度分布及びエッジプロファイルを表すグラフ，図６は形状測定装置Ｚ１に採用され得る非テレセントリックレンズ方式のカメラの特性を表す図，図７は形状測定装置Ｚ１に非テレセントリックレンズ方式のカメラを採用した場合の測定部位の表面角度と光路との関係を模式的に表した図，図８は測定部位の形状及び形状測定装置Ｚ１のカメラによる撮影画像の第１例を模式的に表した図，図９は測定部位の形状及び形状測定装置Ｚ１のカメラによる撮影画像の第２例を模式的に表した図，図１０は形状測定装置Ｚ１による撮影画像の一例を表す図，図１１は所定の演算対象位置における光照射角度と反射光輝度との対応関係の一例を表すグラフ，図１２は形状測定装置Ｚ１による測定手順を表すフローチャート，図１３は第２発明の実施形態に係る形状測定装置Ｚ２の概略構成を表す図，図１４は形状測定装置Ｚ２における厚み測定の原理を表す概念図，図１５は形状測定装置Ｚ２により得られる２台のカメラ各々に対応する表面角度分布及びエッジプロファイルのフィッティング処理前後の状態を表す図，図１６は形状測定装置Ｚ２の応用例である形状測定装置Ｚ２’の概略構成を表す図，図１７は形状測定の対象である半導体ウェーハにおける厚み測定に好適な位置を表す断面図である。
【００１４】
［第１発明］
まず，図１を参照しつつ，第１発明の実施形態に係る形状測定装置Ｚ１の構成について説明する。形状測定装置Ｚ１は，薄片試料の一例である半導体ウェーハ１（以下，ウェーハという）の端面（いわゆるエッジプロファイル部）の形状（エッジプロファイル）を測定する装置である。本実施形態に示すウェーハ１は，ほぼ円形板状であるが，矩形の板状など，他の形状の薄片試料を測定対象とすることもできる。なお，図１（ａ）は，形状測定装置Ｚ１の平面図（一部ブロック図），図１（ｂ）は，形状測定装置Ｚ１の側面図（一部省略）である。
以下，エッジプロファイルの測定対象となるウェーハ１の端面及びその近傍部分（ウェーハ１の表裏各面の縁部）を含む領域を，測定部位Ｐと称する。この測定部位Ｐには，ほぼ平行なウェーハ１の表裏それぞれの面の一部（縁部）が含まれる。
図１に示すように，形状測定装置Ｚ１は，光照射装置１０と，カメラ２０と，パーソナルコンピュータ等の計算機３０とを備えている。
光照射装置１０は，電子回路基板として構成され，その電子回路基板には，ウェーハ１に光を照射する光源である複数のＬＥＤ１２と，そのＬＥＤ１２各々の点滅を切り替えるＬＥＤ駆動回路１１とが実装されている。なお，図１（ｂ）には，一部のＬＥＤ１２について記載を省略している。
ここで，光照射装置１０（電子回路基板）を平面視したときのほぼ中央部における所定位置を基準位置Ｑと称する。
【００１５】
光照射装置１０を構成する電子回路基板には，ウェーハ１の測定部位Ｐを基準位置Ｑに配置可能とするために，ウェーハ１が挿入される切り欠き部１３が形成されている。即ち，基準位置Ｑが，測定部位Ｐの配置位置となる。図１（ｂ）には，ウェーハ１のノッチ部（半円形状の切り欠き部）が，基準位置Ｑに測定部位Ｐとして配置されている例を示しているが，これに限るものではない。また，ウェーハ１を回転させることにより，測定部位Ｐを容易に変更できる。これにより，ウェーハ１の周囲全体，或いは周囲全体のうちの複数箇所のエッジプロファイルを容易に測定できる。
また，全てのＬＥＤ１２は，その発光部が，基準位置Ｑを含む１つの平面内に位置するように，かつ，基準位置Ｑを中心とする円弧上に（円弧に沿って）位置するように，電子回路基板に実装されている。ここで，各ＬＥＤ１２は，カメラ２０と干渉する位置を除き，例えば基準位置Ｑから見た方向が約２°ずつ異なるように等間隔（等角度の間隔）で配置されている。また，各ＬＥＤ１２の基準位置Ｑ（測定部位Ｐ）からの距離は，測定部位Ｐの奥行き寸法に対して十分に長い距離（例えば１５０mm程度）とする。
また，ウェーハ１は，その面（おもて面及びうら面）が，ＬＥＤ１２の発光部が配置される１つの平面に対してほぼ直交し，その面の中央部（円板の中心）が，ＬＥＤ１２の発光部が配置される１つの平面内に位置する状態で切り欠き部１３に挿入され，その状態で測定が行われる。
ＬＥＤ駆動回路１１は，計算機３０からの制御指令に従って，このように１つの平面内の複数の位置各々に配置された複数のＬＥＤ１２を順次切り替えて点滅させる。これにより，光照射装置１０は，基準位置Ｑに配置されたウェーハ１の測定部位Ｐに対し，順次異なる照射角度で光を照射する（第１の光照射手段，切替型光照射手段の一例）。
ウェーハ１の測定部位Ｐである端面（側面）は，滑らかに加工されており，鏡面或いはそれに近い光沢のある面となっている。このため，ＬＥＤ１２から出力された光は，測定部位Ｐにおいて概ね正反射し，ほとんど乱反射はしない。
【００１６】
カメラ２０（後述する２つのカメラ２０Ｒ，２０Ｌも同様）は，基準位置Ｑから所定間隔隔てた位置（例えば，５０mm〜１００mm程度）に固定され，ウェーハ１の測定部位Ｐからの反射光を受光して光電変換することにより，各ＬＥＤ１２から測定部位Ｐに照射された光の正反射方向への反射光の二次元の輝度分布を検出するもの（撮像手段）である。
図１に示す例では，前記カメラ２０は，ＬＥＤ１２の発光部が配置される１つの平面（基準位置Ｑを含む平面）内に配置され，その正面方向が，ウェーハ１の面の中央部に向かうように設置されている。即ち，カメラ２０は，その正面方向が，ウェーハ１の厚み方向中央における平断面に沿う方向となるように（ウェーハ１を真横から見るように）設置されている。これにより，カメラ２０は，ウェーハ１の端面を，ウェーハ１の厚み方向全体に渡って観測できる。
また，カメラ２０の焦点は，基準位置Ｑ（即ち，測定部位Ｐ）に設定されている。
計算機３０は，光照射装置１０におけるＬＥＤ駆動回路１１を制御（ＬＥＤ１２の点滅制御）するとともに，カメラ２０のシャッター制御とカメラ２０による撮影画像の取り込みとを行う。その具体的な動作については後述する。ここで，図１には示していないが，計算機３０は，ＬＥＤ駆動回路１１やカメラ２０との間で，信号の授受や画像データの取得を行うためのインターフェースを備えている。
なお，以下に示す計算機３０の処理は，計算機３０が備えるＭＰＵが，同じく計算機３０が備えるハードディスクドライブなどの記憶手段に予め記憶されたプログラムを実行することにより実現される。
【００１７】
次に，形状測定装置Ｚ１によるエッジプロファイル測定の原理について説明する。
測定部位Ｐに光が照射されると，その光は，光沢のある測定部位Ｐにおいて正反射する。そして，カメラ２０による撮影画像は，その反射光の輝度分布を表す像である。
図８は，測定部位Ｐの形状の一例（ａ）及びその測定部位Ｐのカメラ２０による撮影画像の一例（ｂ）を模式的に表した図である。
図８（ａ）には，表面角度が単純増加（或いは，単純減少）するような測定部位Ｐの形状を示している。なお，図８（ａ）における上下方向が，ウェーハ１の厚み方向である。
このような測定部位Ｐを，ある１つのＬＥＤ１２のみによって光を照射しながらカメラ２０により撮像すると，図８（ｂ）に示すような像が得られる。その画像において，輝度のピークが生じる位置Ｘpeak（Ｘ座標方向の位置，以下，ピーク輝度位置という）は，ＬＥＤ１２から発せられた光線が測定部位Ｐにおいて正反射した位置（正反射位置）に相当する。
また，測定部位Ｐにおける正反射位置の面において，その法線方向を基準とした光の入射角度と出射角度（反射方向の角度）とは等しい（左右対称）。このことから，カメラ２０の撮影画像におけるピーク輝度位置Ｘpeakと，測定部位Ｐに対する光の照射方向（点灯したＬＥＤ１２から測定部位Ｐへ向かう方向）とに基づいて，測定部位Ｐにおいて光が正反射する位置（正反射位置）と，その正反射位置の表面角度とを一意に算出することが可能である。
ここで，形状測定装置Ｚ１の測定原理を説明する前に，図２を参照しつつ，光の照射方向などを表す符号について説明する。なお，図２（ａ）は，形状測定装置Ｚ１を平面視した状態を模式的に表した図であり，図２（ｂ）は，その基準位置Ｐの部分を拡大して表した図である。
図２に示すように，測定部位Ｐとカメラ２０とを結ぶ直線の方向（以下，カメラ正面方向という）を基準としたときの光の照射角度をφとする。また，測定部位Ｐにおける光の正反射Ｐxにおける，カメラ正面方向に直交する面（以下，撮影画像におけるＸ−Ｙ平面に相当する面という意味で，Ｘ−Ｙ面という）を基準とした表面角度をθとする。
【００１８】
続いて，図４を参照しつつ，形状測定装置Ｚ１によるエッジプロファイル測定の原理についてより詳細に説明する。ここでは，カメラ２０が，テレセントリックレンズ方式のカメラである場合について説明する。
テレセントリックレンズ方式のカメラは，図３に示すような態様でＣＣＤ上に像を結ぶ。
反射光の輝度分布を検出するカメラ２０が，図３に示すようなテレセントリックレンズ方式のカメラである場合，図４に示すように，カメラ２０のＣＣＤ（受光部）に到達する反射光の方向と，カメラ２０の正面方向とがほぼ平行となり，撮影画像において高輝のピークが存在するピーク輝度位置Ｘpeakは，そのまま測定部位Ｐにおける光の正反射位置Ｐxを表す。さらに，光の照射方向と反射方向とは，正反射位置Ｐxの面の法線に対して対称であることから，（９０−θ−φ／２）＝（９０−φ）となり，次の（１）式が成立する。
θ＝φ／２  …（１）
従って，撮影画像においてピーク輝度位置Ｘpeakを画像処理によって特定することにより，正反射位置Ｐxを特定できる。さらに，点灯したＬＥＤ１２の位置（既知の位置）に応じて定まる光照射角度φ（既知の角度）から，正反射位置Ｐxにおける表面角度θを特定できる。
【００１９】
次に，図７を参照しつつ，テレセントリックレンズ方式ではない方式（以下，非テレセントリックレンズ方式という）のカメラ２０を採用した形状測定装置Ｚ１によるエッジプロファイル測定について説明する。
非テレセントリックレンズ方式のカメラは，図６に示すような態様でＣＣＤ上に像を結ぶ。
非テレセントリックレンズ方式のカメラ２０を採用した場合，図７に示すように，測定部位Ｐにおける正反射位置Ｐxで反射し，カメラ２０のＣＣＤに到達して像を結ぶ反射光の角度（方向）を，カメラ正面方向を基準とする角度ψxとして表すと，２θ＋ψx＝φとなり，次の（２）式が成立する。但し，ψxは，カメラ２０の座標系における位置（Ｘ軸方向の位置）ごとに予め求めておく。
θ＝（φ−ψx）／２  …（２）
従って，撮影画像においてピーク輝度位置Ｘpeakを画像処理によって特定することにより，そのピーク輝度位置Ｘpeakと角度ψxとカメラ２０から測定部位Ｐ間での距離とに基づいて，測定部位Ｐにおける正反射位置Ｐxを特定できる。さらに，点灯したＬＥＤ１２の位置（既知の位置）に応じて定まる光照射角度φ（既知の角度）から，（２）式に基づいて，正反射位置Ｐxにおける表面角度θを特定できる。
【００２０】
また，点灯するＬＥＤ１２を順次切り替えるごとに（即ち，光照射角度φを切り替えるごとに）カメラ２０を通じて測定部位Ｐの画像データを取得し，そのときの光照射角度φ及び表面角度θを求めれば，複数の正反射位置Ｐx各々についての表面角度θ，即ち，測定部位Ｐにおける表面角度θの分布を求めることができる。
図１０は，図８（ａ）に示したのと同様の形状を有する測定部位Ｐについて，光照射角度φごとに得られた画像データを表す映像（カメラ２０の映像）の一例を表す。図１０に向かって右方向が，カメラ２０の座標系のＸ軸方向（即ち，ウェーハ１の厚み方向）である。
図１０に示すように，光照射角度φの変化に応じて，測定部位Ｐにおける正反射Ｐxに対応する高輝度位置Ｘpeak（Ｘ方向の位置）が変化する。この高輝度位置Ｘpeakが，測定部位Ｐにおける正反射位置Ｐxに対応する。
なお，正反射位置Ｐxは，その位置に応じてＬＥＤ１２との距離が若干異なるため，以上の方法によって求めた表面角度θには，その距離差に応じた誤差が含まれる。しかしながら，測定部位Ｐの表面変位に対し，ＬＥＤ１２と測定部位Ｐとの距離を十分に長くすることにより，その誤差は無視できる程度に抑えられる。
また，図１０において，帯状の高輝度の部分において存在する輝度の分布は，測定部位Ｐの表面粗さや，カメラ２０の実効Ｆナンバーに起因する。また，テレセントリックレンズ方式のカメラを採用した場合，カメラ正面方向に平行な反射光以外の反射光の一部がカメラ２０のＣＣＤに到達することにも起因する。
【００２１】
一方，図９は，測定部位Ｐの形状の他の一例（ａ）及びその測定部位Ｐのカメラ２０による撮影画像の一例（ｂ）を模式的に表した図である。
図９（ａ）には，前記窪み形状を有する測定部位Ｐを示している。なお，図９（ａ）における上下方向が，ウェーハ１の厚み方向である。
このような測定部位Ｐを，ある１つのＬＥＤ１２のみによって光を照射しながらカメラ２０により撮像すると，図９（ｂ）に示すように，複数のピーク輝度位置Ｘpeakを有する像が得られる。この現象は，同じ表面角度φを有する正反射位置Ｐxが複数存在する場合に生じるが，表面角度の求め方は，測定部位Ｐが，図８（ａ）に示したような形状おを有する場合と同様である。
形状測定装置Ｚ１を用いれば，このように測定部位Ｐが窪み形状を有する場合であっても，表面角度の分布を測定できる。
【００２２】
次に，図１２に示すフローチャートを参照しつつ，形状測定装置Ｚ１によるウェーハ１の測定部位Ｐの測定手順について説明する。以下，Ｓ１，Ｓ２，…は，処理手順（ステップ）の識別符号を表す。なお，ウェーハ１の測定部位Ｐが，基準位置Ｑに位置するように配置された状態で，図１２に示す処理が開始されるものとする。
［ステップＳ１〜Ｓ５］
まず，計算機３０は，ＬＥＤ１２各々を識別する番号ｉを初期化（ｉ＝１）する（Ｓ１）。
そして，計算機３０は，ＬＥＤ駆動回路１１を制御することによるｉ番目のＬＥＤ１２の点灯（Ｓ２），その点灯状態におけるカメラ２０による測定部位Ｐの撮像（シャッターＯＮ）及び撮影画像の記憶（Ｓ３）を，番号ｉを順次カウントアップ（Ｓ５）しながら，全てのＬＥＤ１２について点灯及び撮像が終了するまで繰り返す（Ｓ４）。カメラ２０による撮影画像は，計算機３０が備えるハードディスクなどの記憶手段に記憶される。
このステップＳ１〜Ｓ４の処理により，光照射装置１０によって測定部位Ｐに対して順次異なる照射角度φで光が照射される（Ｓ２）。さらに，異なる照射角度で光が照射されるごとに，計算機３０により，測定部位Ｐからの反射光の輝度分布を表す画像データ（撮影画像）が，カメラ２０を通じて取得される。
【００２３】
［ステップＳ６〜Ｓ１１］
次に，計算機３０は，以下に示すステップＳ６〜Ｓ１１の処理を実行することにより，ステップＳ３の処理により取得された各ＬＥＤ１２に対応した画像データ（反射光の輝度分布）と，そのＬＥＤ１２によって測定部位Ｐに照射された光の照射角度φとに基づいて，測定部位Ｐの表面角度の分布及びエッジプロファイルを演算する（Ｓ１１）。
ところで，光照射装置１０による光の照射角度φの変化幅（ここでは，ＬＥＤ１２の間隔）をごく小さくすれば，光の照射角度φを変化させるごとに，反射光の輝度が最も高くなる位置を求めることにより，高い空間分解能で測定部位Ｐの表面角度の分布を算出することができる。
しかしながら，光の照射角度φの変化幅を小さくすることには限界がある。また，光の照射角度φの変化幅を小さくするほど，カメラ２０による撮像回数（反射光の輝度分布を採取する回数）が増え，測定時間が長くなる。さらに，計算機３０でで取得すべき画像データの点数が増え，計算機３０における必要メモリ容量の増大にもつながる。
そこで，本実施形態における計算機３０は，以下に示す処理により，測定部位Ｐの表面角度の分布及びエッジプロファイルを求める。
【００２４】
まず，計算機３０は，カメラ２０の撮像範囲（光検出手段の光検出範囲の一例）において予め定められたＸ座標方向の複数の位置（以下，演算対象位置Ｘjという）各々を識別する番号ｊを初期化（ｊ＝１）する（Ｓ６）。
そして，演算対象位置Ｘj各々について，光の照射角度φと反射光の輝度Ｅとの対応関係（以下，φ−Ｅ対応関係という）を導出する（Ｓ７）。
図１１は，ある演算対象位置Ｘjにおける，光の照射角度φ（横軸）と反射光の輝度Ｅ（縦軸）との対応関係を表すグラフの一例である。
さらに，計算機３０は，ステップＳ７で得られたφ−Ｅ対応関係に基づく所定の演算を行うことにより，反射光の輝度Ｅがピークとなるときの光の照射角度φpeak（以下，推定ピーク時照射角度という）を推定するとともに，その演算対象位置Ｘjにおける表面角度θjを算出して記憶する（Ｓ８）。
【００２５】
図１１に示したように，φ−Ｅ対応関係は，離散的なデータに基づくものである。ここで，光照射装置１０における各ＬＥＤ１２が，極端に広い間隔で配置されているような場合を除けば，図１１に示したようなφ−Ｅ対応関係に基づく内挿演算処理により，推定ピーク時照射角度φpeakを推定することができる。その内挿演算処理の具体例としては，重心法に基づく内挿演算処理や，２次関数やガウス分布関数に回帰するフィッティング処理に基づく内挿演算処理などが考えられる。なお，内挿演算処理を施さず，単に最大の輝度を示すときの光照射角度φを，推定ピーク時照射角度φpeakとすることも考えられる。但し，この場合，各ＬＥＤ１２の間隔によっては，誤差が大きくなる点に留意する必要がある。
また，推定ピーク時照射角度φpeakに基づく表面角度θjの算出方法は，前述した光照射角度φに基づく正反射位置Ｐxの表面角度θの算出方法と同様である。
そして，計算機３０は，ステップＳ７〜Ｓ８の処理を，番号ｊを順次カウントアップ（Ｓ１０）しながら，予め定められた全ての演算対象位置Ｘjについて行われるまで繰り返す（Ｓ９）。ステップＳ８で算出された各演算対象位置Ｘjの表面角度θjは，計算機３０が備えるハードディスクなどの記憶手段に記憶される。
以上のステップＳ１〜Ｓ１０の処理により，測定部位Ｐの表面角度θの分布（演算対象位置Ｘjと表面角度θjとの対応関係を表す情報）が得られる。
このように，計算機３０は，カメラ２０の撮像範囲（即ち，光検出範囲）における複数の演算対象位置Ｘj各々について，光照射角度φと反射光の輝度Ｅとの対応関係に基づいて，推定ピーク時照射角度φpeak（反射光の輝度がピークとなるときの光の照射角度）を推定する演算を行うことにより，演算対象位置Ｘj各々の表面角度θjを算出する（Ｓ７〜Ｓ１０）。その結果，光照射装置１０における各ＬＥＤ１２を，非常に密に配置した場合と同様の高い空間分解能で，表面角度θjの分布を測定できる。理論上は，カメラ２０の解像度（画素分解能）のレベルまで，表面角度分布の空間分解能を高めることができる。
なお，後述する計算機３０’も，以上に示したステップＳ７〜Ｓ１０と同様の処理を実行する（前記表面角度分布演算手段の一例）。
【００２６】
最後に，計算機３０は，ステップＳ６〜Ｓ１０の処理によって得られた表面角度θjの分布に基づいて，測定部位Ｐのエッジプロファイル（表面形状）を算出して記憶し（Ｓ１１），測定処理を終了させる。このとき，計算機３０は，必要に応じて，測定部位Ｐのエッジプロファイルをその表示部に表示させる。
ここで，測定部位Ｐにおけるある演算対象位置Ｘjの表面高さと，その隣りの演算対象位置Ｘj+1の表面高さとの差Δｈjは，次の（３）式により計算できる。
Δｈj＝ｄ・tanθj  …（３）
ただし，ｄは，測定部位Ｐにおける隣り合う演算対象位置Ｘjの距離（Ｘ軸方向の距離）である。ここでは，カメラ２０のＸ軸方向の画素間距離を，実空間にに換算した距離である。
この（３）式を，演算対象位置Ｘjの基点から順次適用することにより，測定部位Ｐの高さ分布，即ち，エッジプロファイルを算出できる。
図５は，あるウェーハ１の測定部位Ｐを形状測定装置Ｚ１で測定することによって得られた表面角度φ(x)の分布及びエッジプロファイルの一例を表すグラフである。横軸は，ウェーハ１の厚み方向の位置を表し，左縦軸は測定部位の表面位置（即ち，エッジプロファイル），右縦軸は表面角度θ  なお，図５において細い実線グラフで表す表面角度θ(x)は，その各々の演算対象位置Ｘjを，測定部位Ｐにおける実空間の位置に置き換えたものである。また，太い実線グラフで表すエッジプロファイルは，（３）式に基づいて算出したものである。
このように，形状測定装置Ｚ１を用いれば，ウェーハ１などの薄片試料のエッジプロファイルを高精度で測定することができる。
【００２７】
［第２発明］
次に，図１３を参照しつつ，第２発明の実施形態に係る形状測定装置Ｚ２について説明する。以下，形状測定装置Ｚ２について，前述した形状測定装置Ｚ１と異なる点についてのみ説明する。なお，図１３において，図１に示した構成要素と同じものについては，同じ符号を記している。なお，図１３（ａ）は，形状測定装置Ｚ２の平面図（一部ブロック図），図１３（ｂ）は，形状測定装置Ｚ２の側面図（一部省略）である。
図１３に示すように，形状測定装置Ｚ２は，測定部位Ｐからの反射光の輝度分布を検出するカメラ２０として２台のカメラ２０Ｒ，２０Ｌを備え，それらが，測定部位Ｐに対して各々異なる方向に配置されている。以下，それぞれ第１カメラ２０Ｒ，第２カメラ２０Ｌと称する。これら２台のカメラ２０Ｒ，２０Ｌは，測定部位Ｐにおける端面の近傍部分の厚み方向両側の面各々（ウェーハ１の表裏各面の縁部）の二次元の像を撮像するカメラである（前記２つの撮像手段の一例）。
図１３に示す例では，２台のカメラ２０Ｒ，２０Ｌが，基準位置Ｑ（即ち，測定部位Ｐ）を基点として９０°をなす方向（ウェーハ１の面方向に対して±４５°の方向）に配置されている。これにより，両カメラ２０Ｒ，２０Ｌ各々は，測定部位Ｐの全領域（全面）のうちの一部の領域（各々の配置位置から見える領域）で反射した反射光の輝度を検出する。
【００２８】
ところで，図１に示したように，前記形状測定装置Ｚ１においては，全てのＬＥＤ１２の発光部が，前記基準位置Ｑを含み，ウェーハ１（薄片試料）の面に直交する１つの平面内，即ち，基準位置Ｑ（測定部位Ｐ）におけるウェーハ１（薄片試料）の厚み方向の断面を含む平面内に位置するように配置されていた。
一方，図１３（ｂ）に示すように，形状測定装置Ｚ２においては，基準位置Ｑ（測定部位Ｐ）におけるウェーハ１（薄片試料）の厚み方向の断面を含む平面５０の両側のうちの一方に各ＬＥＤ１２の点灯位置が，他方にカメラ２０（前記光検出手段の一例）の配置位置がそれぞれ位置している。なお，平面５０は，基準位置Ｑ（測定部位Ｐ）を含み，ウェーハ１（薄片試料）の表裏の面にほぼ直交する平面である。
そして，形状測定装置Ｚ２において，各ＬＥＤ１２の点灯位置が並ぶ平面に対し直交する方向から見たときの各ＬＥＤ１２及びカメラ２０の位置関係（図１５（ａ））は，前記形状測定装置Ｚにおけるそれらの位置関係（図１（ａ））と同じである。
この形状測定装置Ｚ２においては，測定部位Ｐの正面方向においてＬＥＤ１２を連続的に並べても，そのＬＥＤ１２がカメラ２０と干渉しないように配置できるため，測定部位Ｐの正面方向の一部の範囲について，表面形状測定の空間分解能をより高めることができる。
【００２９】
さらに，形状測定装置Ｚ２は，前述の計算機３０の代わりに，実行するプログラムの一部が異なる計算機３０’を備えている。
そして，計算機３０’は，前述したステップＳ３（図１２参照）において，光照射角度φが変更されるごとに，２台のカメラ２０Ｒ，２０Ｌ（前記光検出手段及び前記撮像手段の一例）両方により画像データの撮像（二次元の輝度分布の検出）及び記憶を行うよう制御する。
さらに，計算機３０’は，前述したステップＳ７及びＳ８（図１２参照）において，２台のカメラ２０Ｒ，２０Ｌ各々を通じて得られた画像データ（反射光の輝度分布を表すデータ）ごとに，その画像データ及び光の照射角度（推定ピーク時照射角度φpeak）に基づいて，測定部位Ｐの一部の領域の表面角度θjの分布を算出する。図１３に示す例では，計算機３０’は，第１カメラ２０Ｒを通じて得た画像データに基づいて，図１３に示すウェーハ１の右側の面（一方の面）に近い側の領域の表面角度θjの分布を算出する。同様に，計算機３０’は，第２カメラ２０Ｌを通じて得た画像データに基づいて，同ウェーハ１の左側の面（他方の面）に近い側の領域の表面角度θjの分布を算出する。ここで，それら両領域の一部は重複している。
従って，形状測定装置Ｚ２において，ステップＳ１〜Ｓ４の処理により，光照射装置１０によって測定部位Ｐに対して順次異なる照射角度φで光が照射され，さらに，異なる照射角度で光が照射されるごとに，計算機３０’により，測定部位Ｐからの反射光の輝度分布を表す画像データ（撮影画像）が，カメラ２０を通じて取得される（前記反射光輝度取得手段の一例）。
【００３０】
さらに，形状測定装置Ｚ２は，測定部位Ｐにおける端面の近傍部分（ウェーハ１の表裏各面の縁部）についてウェーハ１の厚みを測定する厚み測定システムを備えている。
前記厚み測定システムは，ウェーハ１の表裏両側それぞれに配置された２つの厚み測定用光源４０（４０Ｒと４０Ｌ）と，前記２つのカメラ２０（２０Ｒと２０Ｌ）と，前記計算機３０’とにより実現されている。
前記厚み測定用光源４０は，測定部位Ｐにおける端面の近傍部分の厚み方向両側の面各々（ウェーハ１の表裏各面の縁部）に，十分細くコリメートされたスポット光，又はウェーハ１表面において十分細く集光されたスポット光を照射する光源である。図１３には示されていないが，必要に応じてコリメータレンズや集光レンズが光源とウェーハとの間に配置される（前記第２の光照射手段の一例）。
また，前記厚み測定システムの構成要素として機能する前記計算機３０’は，前記厚み測定用光源４０Ｒ，４０Ｌにより光が照射された測定部位Ｐにおける端面の近傍部分の厚み方向両側の面各々（ウェーハ１の表裏各面の縁部）の像の画像データを２つのカメラ２０Ｒ，２０Ｌを通じて取得し，取得した画像データに基づいて，前記厚み測定用光源４０Ｒ，４０Ｌ各々により照射された光の照射位置（座標）を検出し，その検出位置に基づく三角測量計算を実行することにより，ウェーハ１の厚みＤを算出し，算出結果をその記憶部に記録する（前記厚み算出手段の一例）。
図１３に示す例は，前記厚み測定用光源４０Ｒ，４０Ｌそれぞれにより，測定部位Ｐにおける端面の近傍部分の厚み方向両側の面各々にライン光をほぼ垂直に照射し，その散乱反射光を前記２つのカメラ２０Ｒ，２０Ｌそれぞれによって受光することにより，ウェーハ１表面の光切断線の像（前記ライン光の像）を得る厚み測定システムの例である。
【００３１】
図１４は，形状測定装置Ｚ２における厚み測定の原理を表す概念図である。
形状測定装置Ｚ２においては，前記計算機３０’が，テレセントリックレンズを備えた前記カメラ２０による撮像画像から光切断線の像（ライン光の像）を抽出し，所定の基準位置（基準座標）に対するその光切断線の像の位置（座標）の所定方向（例えば，Ｘ軸方向）におけるずれ量ｈccd（例えば，Ｘ軸方向のずれ量）を検出する。なお，前記基準位置は，ウェーハ１の表面高さが所定の基準高さｈ0であるときのウェーハ１上の光切断線の位置Ｐs0の撮像位置である。また，図１４において，ウェーハ１上の実際の光切断線の位置はＰs1と表記されている。
ここで，ウェーハ１表面の実際の高さｈ1と前記基準高さｈ0の差をΔｈ01，光切断線とカメラ２０の光軸とのなす角度をθL，測定部位Ｐからカメラ２０の撮像素子へ至る経路の光学系の倍率をＭとすると，Δｈ01は，次の（４）式に基づいて算出することができる。
Δｈ01＝ｈccd／（Ｍ・ｓｉｎθL）  …（４）
前記計算機３０’は，この（４）式を用いて，２つのカメラ２０Ｒ，２０Ｌそれぞれの撮像画像に基づいて，ウェーハ１両面それぞれの高さΔｈ01R，Δｈ01Lを算出する。
【００３２】
ところで，２つのカメラ２０Ｒ，２０Ｌそれぞれについて（即ち，ウェーハ１の表裏各面について），前記基準高さｈ0を高精度で一致させることは難しい。
そこで，前記計算機３０’は，ウェーハ１の厚みＤ（厚みの測定値）を，予め設定された校正値αを用いて，次の（５）式により算出する。
Ｄ ＝ Δｈ01R − Δｈ01L ＋ α  …（５）
前記校正値αは，当該厚み測定システムにより，予め厚みＤが既知の校正用試料について厚み測定を行うことによって予め設定する。
即ち，前記計算機３０’により，予め厚みＤが既知の校正用試料についての撮像画像に基づいてΔｈ01R及びΔｈ01Lを算出するとともに，その算出値を（５）式に適用することによって前記校正値αを算出し，その算出値を記憶部に記録する。
【００３３】
さらに，計算機３０’は，前述したステップＳ６〜Ｓ１１と同様の処理を実行することにより，ステップＳ３の処理により取得された各ＬＥＤ１２に対応した画像データ（反射光の輝度分布）と，そのＬＥＤ１２によって測定部位Ｐに照射された光の照射角度φとに基づいて，測定部位Ｐの表面角度の分布及びエッジプロファイルを演算する（Ｓ１１，前記表面角度分布演算手段の一例）。
また，計算機３０’は，前述したステップＳ１１において，両カメラ２０Ｒ，２０Ｌに対応する前記一部の領域の表面角度θjの分布（ステップＳ８の処理での演算結果）の各々に基づいて，その一部の領域各々についてのエッジプロファイル（表面形状）を算出するとともに，それらをつなぎ合わせる処理を行うことによって測定部位Ｐ全体のエッジプロファイルを算出する（つなぎ合わせ演算手段の一例）。
或いは，計算機３０’は，前述したステップＳ１１において，両カメラ２０Ｒ，２０Ｌに対応する前記一部の領域の表面角度θjの分布（ステップＳ８の処理での演算結果）の各々をつなぎ合わせる処理（以下，つなぎ合わせ処理という）を行うことによって測定部位Ｐ全体の表面角度分布θjを算出し，その算出結果に基づいて測定部位Ｐ全体のエッジプロファイルを算出する（つなぎ合わせ演算手段の一例）。
その際，計算機３０’は，前記一部の領域の表面角度θjの分布の演算結果又はその演算結果に基づく前記一部の領域各々についてのエッジプロファイル（表面形状）を，ウェーハ１の厚み方向におけるそれらの相対位置を前記厚み測定システムの測定結果（厚みＤ）に基づき調整しながら前記つなぎ合わせ処理を実行する。
このように，各領域のエッジプロファイルを求めてからその各々をつなぎ合わせる方法，或いは各領域の表面角度θjの分布をつなぎ合わせてから全領域のエッジプロファイルを求める方法の２通りの方法が考えられる。
形状測定装置Ｚ２によれば，例えば，１台のカメラの視野範囲（光の検出範囲）が±６０°程度であっても，一般的なエッジプロファイル測定で必要となる±９０°（計１８０°）の範囲での表面角度分布測定を行うことができる。
【００３４】
以下，計算機３０’による前記つなぎ合わせ処理について説明する。
計算機３０’は，前記つなぎ合わせ処理において，両カメラ２０Ｒ，２０Ｌ各々に対応する前記一部の領域の重複部分について，各カメラ２０Ｒ，２０Ｌに対応するエッジプロファイル或いは表面角度θjの分布の差が最小となるように周知のフィッティング処理を実行する。
前記フィッティング処理において，各カメラ２０Ｒ，２０Ｌに対応するエッジプロファイル或いは表面角度θjの分布の相対位置の調整パラメータとして，ウェーハ１の厚み方向（ここでは，カメラ２０Ｒ，２０Ｌの撮像画像のＸ軸方向）のオフセット，及び厚み方向に直交する方向（ここでは，カメラ２０Ｒ，２０Ｌの撮像画像のＹ軸方向）のオフセットのそれぞれを調整パラメータとすることが考えられる。
形状測定装置Ｘにおいては，前記厚み測定システムによって予めウェーハ１の厚みＤを測定し，前記厚み方向のオフセットについては，厚みＤ（測定値）に基づいて調整する。
また，前記フィッティング処理における調整パラメータに，前記厚み方向のオフセット（Ｘ軸座標）及びそれに直交する方向のオフセット（Ｙ軸座標）の他，各カメラ２０Ｒ，２０Ｌに対応するエッジプロファイル或いは表面角度θjの分布の相対的な傾き（角度）を加えることも考えられる。
【００３５】
図１５は，形状測定装置Ｚ２により得られる２台のカメラ各々に対応する表面角度分布及びエッジプロファイルのフィッティング処理前後の状態を表す図である。図１５（ａ）はフィッティング処理前，図１５（ｂ）はフィッティング処理後を表す。
また，図中，「表面角度分布Ｒ」及び「エッジプロファイルＲ」と表記するものは，第１カメラ２０Ｒに対応する表面角度θjの分布及びエッジプロファイルを表す。同様に，「表面角度分布Ｌ」及び「エッジプロファイルＬ」と表記するものは，第２カメラ２０Ｌに対応する表面角度θjの分布及びエッジプロファイルを表す。
図１５（ａ）に示すように，第１カメラ２０Ｒに対応する領域の表面角度分布Ｒ及びこれに基づくエッジプロファイルＲと，第２カメラ２０Ｌに対応する領域の表面角度分布Ｌ及びこれに基づくエッジプロファイルＬとの間にはずれが生じ得る。
これらの結果を，重複する領域の部分についてフィッティング処理を行うことによってつなぎ合わせれば，図１５（ｂ）に示すように，測定部位Ｐの全領域の表面角度分布（全体）或いはエッジプロファイル（全体）が得られる。
【００３６】
以下，前記厚み方向オフセット及びそれに直交する方向のオフセット，並びに前記相対的な傾き（角度）を調整パラメータとする前記フィッティング処理の具体例について説明する。なお，前記厚み方向オフセットの調整量をΔＸc，厚み方向に直交する方向のオフセットの調整量をΔＹc，前記相対的な傾き（角度）の調整量をΔψ（以下，相対角度調整量という）とする。また，以下は，前記エッジプロファイルＲ及び前記エッジプロファイルＬのつなぎ合わせについて説明するが，前記表面角度分布Ｒ及び前記表面角度分布Ｌのつなぎ合わせも同様の処理により実現できる。
計算機３０’は，前記相対角度調整量ΔＹcを，所定範囲において順次異なる値に設定し，一方の前記エッジプロファイルＲを固定した状態で，他方の前記エッジプロファイルＬの角度を設定した前記相対角度調整量ΔＹcの分だけ補正（修正）する。前記相対角度調整量ΔＹcは，例えば，−１°〜＋１°の範囲において０．０１°刻みで順次設定される値である。
さらに，計算機３０’は，前記相対角度調整量ΔＹcに従った角度補正を行うごとに，前記エッジプロファイルＲと角度補正後の前記エッジプロファイルＬとに基づく厚みＤx（以下，プロファイル上での厚みという）が，前記厚み測定システムにより予め測定した厚みＤと一致するように，前記厚み方向オフセットΔＸcを調整する。
図１５において，前記厚み方向オフセットΔＸcの調整前のプロファイル上での厚みがＤx1（＝Ｄ＋ΔＸc），同調整後のプロファイル上での厚みがＤx2（＝Ｄ）と表記されている。
【００３７】
そして，計算機３０’は，オフセットΔＸcの調整を行うごとに，前記エッジプロファイルＲ及びオフセットΔＸcを調整後の前記エッジプロファイルＬの差が最小となるように，オフセットΔＹcの調整を行い，そのときの両エッジプロファイルの差ΔＰｆminを記憶部に記録する。
ここで，両エッジプロファイルの差を表す指標値は，例えば，両エッジプロファイルのウェーハ厚み方向（Ｘ軸方向）の重複範囲における，一方のエッジプロファイルＲ上の各座標位置から他方のエッジプロファイルＬまでの距離（エッジプロファイルＲ上の座標位置に最も接近している部分までの距離）の平均値等である。
最後に，計算機３０’は，以上のようにして記録された両エッジプロファイルの差ΔＰｆminが最小となるときの前記相対角度調整量ΔＹc及びオフセットΔＸc，ΔＹcに従って前記エッジプロファイルＬを補正し，補正後の前記エッジプロファイルＬと前記エッジプロファイルＲとを統合したエッジプロファイルを，測定部位Ｐ全体のエッジプロファイルとし，これを記憶部に記録する。
以上に示したつなぎ合わせ処理（フィッティング処理）により，高精度で厚み方向のオフセット調整を行うことができ，その結果，測定部位Ｐ全体の表面形状を高い精度で測定できる。
なお，前記校正値α及び前記相対角度調整量Δψは，主としてカメラ２０Ｒ，２０Ｌの設置誤差に起因するものである。従って，カメラ２０Ｒ，２０Ｌの位置調整が行われた後，最初に一回だけ前記校正値α及び両エッジプロファイルの差ΔＰｆminが最小となるときの前記相対角度調整量ΔＹcを算出して記憶しておけば，以後はそれらの値を用いて前記つなぎ合わせ処理（フィッティング処理）を行うことができる。
【００３８】
ところで，ウェーハ１は，エッジプロファイル部（面取りされた端面）に近いほど厚みの個体差が大きく，中心に近いほど（エッジプロファイル部から内側へ離れるほど）厚みの個体差が小さい。前記厚み測定システムによる１回の（ある１つのウェーハ１の）測定結果（厚みＤ）を，複数のウェーハ１の形状測定において共用する場合，個体差の小さい位置で厚み測定を行うことが望ましい。
一方，ウェーハ１の中心に近い位置（端面から離れた位置）では，本発明による形状測定（正反射光の像に基づく形状測定）が難しくなる。
図１７は，形状測定の対象であるウェーハ１（半導体ウェーハ）における厚み測定に好適な位置を表す断面図である。なお，図１７に示されるエッジプロファイル部の突出寸法（０．５ｍｍ）及びウェーハ１の厚み（０．７ｍｍ）は一例を表すものである。
経験上，図１７に示すように，薄板状（例えば，厚みが０．７ｍｍ程度）のウェーハ１の表裏両面（図中の「おもて面」及び「うら面」）におけるエッジプロファイル部（表裏各面のベベル部を含む部分）との境界位置から約１ｍｍ内側の位置Ｑdは，厚みの個体差が比較的小さく，かつ，本発明による形状測定も可能な位置である。
そこで，測定対象（薄片試料）が薄板状の半導体ウェーハ１である場合，前記厚み測定システムにより，そのウェーハ１の表裏両面におけるエッジプロファイル部（端面）との境界位置から約１ｍｍ内側の位置Ｑdに前記厚み測定用光源４０の光を照射することにより，その位置Ｑdにおいてそのウェーハ１の厚みを測定することが望ましい。なお，半導体ウェーハ１のサイズによっては，前記境界位置から約３ｍｍ〜約５ｍｍ内側の位置でウェーハ１の厚みを測定しても，前記オフセット調整に有効な測定値が得られる。
【００３９】
図１６は，以上に示した形状測定装置Ｚ２の応用例である形状測定装置Ｚ２’（第２発明の実施形態に係る形状測定装置の一例）の概略構成を表す図である。
以下，形状測定装置Ｚ２’について，前述した形状測定装置Ｚ２と異なる点についてのみ説明する。なお，図１６において，図１及び図１３に示した構成要素と同じものについては，同じ符号を記している。なお，図１６（ａ）は，形状測定装置Ｚ２’の平面図（一部ブロック図），図１６（ｂ）は，形状測定装置Ｚ２’の側面図（一部省略）である。
形状測定装置Ｚ２’は，前記形状測定装置Ｚ２に対し，前記厚み測定用光源４０（４０Ｒ，４０Ｌ）の位置が異なる以外は同じ構成を備えている。
図１６に示すように，形状測定装置Ｚ２’における前記厚み測定システムは，前記厚み測定用光源４０Ｒ，４０Ｌそれぞれにより，測定部位Ｐにおける端面の近傍部分の厚み方向両側の面各々に対してライン光を斜め方向から照射し，その正反射光を前記２つのカメラ２０Ｒ，２０Ｌそれぞれによって受光することにより，ウェーハ１表面の光切断線の像（前記ライン光の像）を得る。
このような形状測定装置Ｚ２’においても，前記形状測定装置Ｚ２と同様に，前記計算機３０’が２つのカメラ２０Ｒ，２０Ｌの撮像画像に基づいて簡易な三角測量計算を実行することにより，ウェーハ１の厚みＤを算出することができる。
【００４０】
また，計算機３０’は，ＬＥＤ駆動回路１１を通じて複数のＬＥＤ１２を順次切り替えて点灯させる過程（ステップＳ１〜Ｓ５）において，一部のＬＥＤ１２については，各カメラ２０Ｒ，２０Ｌに対応する複数のＬＥＤ１２を同時に点灯させるよう制御する（切替型光照射手段の一例）。
図１３に示すように，円弧上に複数配列されたＬＥＤ１２のうち，第１カメラ２０Ｒに対し，第２カメラ２０Ｌとは反対側に配置されているＬＥＤ１２Ｒの一部（例えば，ＬＥＤ１２Ｒａ）については，その出力光は，ウェーハ１により遮断されて第２カメラ２０Ｌには到達しない（検出されない）。
同様に，第２カメラ２０Ｌに対し，第１カメラ２０Ｒとは反対側に配置されているＬＥＤ１２Ｌの一部（例えば，ＬＥＤ１２Ｌａ）については，その出力光は，ウェーハ１により遮断されて第２カメラ２０Ｌには到達しない。
そこで，計算機３０’は，ステップＳ２において，第１カメラ２０Ｒに対応する一部のＬＥＤ（ＬＥＤ１２Ｒａなど）と，第２カメラ２０Ｌに対応する一部のＬＥＤ（ＬＥＤ１２Ｌａなど）とが同時に点灯するようＬＥＤ駆動回路１１を制御する。
これにより，測定時間を短縮できる。
なお，図１３に示した形状測定装置Ｚ２は，２台のカメラ２０を備えるものであるが，３台以上のカメラ２０を備えた構成としても，同様の作用効果が得られる。
【００４１】
以上に示した実施形態では，拡散光源であるＬＥＤ１２をそのまま光源として採用している。このような構成を採用できる理由は，各ＬＥＤ１２が，測定部位Ｐの大きさ（奥行きの長さ）に比べて十分に遠い距離に配置されており，各ＬＥＤ１２の光が測定部位Ｐにおいて平行光とみなせるためである。
一方，ＬＥＤ１２等の光源を測定部位Ｐに近づけて配置する場合，その光源の光を，レンズを用いて平行光とした上で測定部位Ｐに照射することが望ましい。
また，前述した実施形態では，光源としてＬＥＤ１２を採用しているが，レーザダイオードや白熱電球，蛍光灯など，他の種類の光源を採用してもかまわない。
また，カメラ２０は，目的に応じて前述の実施形態とは異なる位置及び向きで設置されることも考えられる。
また，一般的なエッジプロファイル測定では，測定部位Ｐ各々について，一次元方向（ウェーハ１の厚み方向）の表面角度分布を測定できれば十分である。このため，測定部位Ｐからの反射光の輝度を検出する手段として，複数の光電変換素子が一列に（１次元方向に）配列されて構成された一次元の受光器を用いることも考えられる。但し，その場合，前記形状測定装置Ｚ２においては，前記厚み測定システムを構成するカメラ（撮像手段）を別途設ける必要がある。
また，前記形状測定装置Ｘ２は，前記厚み測定用光源４０と２つのカメラ２０Ｒ，２０Ｌとを用いて光学的にウェーハ１の厚みを測定する前記厚み測定システムを備えるものであるが，超音波等を利用した非接触式の厚み計を備えた形状測定装置も考えられる。
なお，本発明に係る形状測定装置は，アルミサブストレート，ガラスサブストレートなどの薄片試料についても，同様にエッジプロファイルの測定が可能である。
【００４２】
また，前述した実施形態では，測定部位Ｐからの反射光を直接的にカメラ２０に入射させる構成を示した。しかしながら，測定部位Ｐからの反射光を変向させる光学機器（ミラーなど）を設け，その光学機器により変向された反射光をカメラ２０に入射させる構成も考えられる。これにより，光源（ＬＥＤ１２）が配置される平面に沿う方向への反射光を検出したい場合に，設置スペースが比較的大きいカメラ２０と光源との干渉を回避できる。これにより，光照射角度の範囲を拡大でき，測定部位Ｐの表面角度の測定範囲をより広げることができる。
また，前述した実施形態における光照射装置１０は，複数の光源（ＬＥＤ１２）を順次切り替えて点灯させる切替型の光照射装置であった。しかしながら，光照射装置としては，１つ又は比較的少数の光源（ＬＥＤ等）を一の平面内の複数の位置（例えば，光照射装置１０において各ＬＥＤ１２が配置された位置）各々に順次移動させる光源移動機構を備え，その移動先の各位置で光源を点灯させる移動型の光照射装置も考えられる。このような移動型の光照射装置によっても，前記光照射装置１０と同様に，測定部位Ｐに対して順次異なる照射角度φで光を照射する装置を構成できる。
この移動型の照明装置としては，例えば，基準位置Ｑを中心とする円弧状にレールと，そのレールに沿ってＬＥＤ等の光源を移動させる移動機構と，この移動機構によってＬＥＤが予め定められた複数の位置各々に到達したことを検知する位置センサと，光源がその位置センサにより検知される各位置へ順次移動するよう前記移動機構を制御する制御装置とを備えたものが考えられる。
【００４３】
ところで，複数の光源（前述の実施形態ではＬＥＤ１２）を切り替えて測定部位Ｐに光を照射する光照射装置１０を用いる場合，光源それぞれの個体差により，各光源から基準位置Ｑの測定部位Ｐに照射される光の光量（強度）にばらつきが生じ得る。そこで，そのばらつきが極力小さくなるよう予め調整することが重要である。
具体的には，測定部位Ｐが配置される基準位置Ｑに光センサを配置し，各光源を順次切り替えて点灯させたときに，その光センサで検出される光強度がほぼ一定のレベルとなるように各光源に供給する電力（電圧や電流），即ち，各光源の発光量（発光強度）を予め調整しておく。
例えば，光源がＬＥＤである場合，各ＬＥＤに対する電力供給ラインに可変抵抗を設け，この可変抵抗の抵抗値を調整することによって各ＬＥＤへの供給電流を予め調整する。或いは，各ＬＥＤに対する電力供給をパルス幅変調（ＰＷＭ）によって制御可能とするパルス幅変調装置を設け，これによって各ＬＥＤへの供給電力を予め調整する。
その他，測定部位Ｐが配置される基準位置Ｑに反射方向や反射率が既知の反射部材（鏡など）を配置し，各光源を順次切り替えて点灯させたときにカメラ２０で検出される光強度のばらつきに基づいて，光源ごとの光強度の補正係数を予め算出して記憶しておくことも考えられる。そして，実際の測定時には，その補正係数に基づく補正後の測定値（光強度分布）を用いて測定する。
以上に示すような調整を行うことにより，光源の特性のばらつきに起因する測定誤差が発生することを回避できる。
【産業上の利用可能性】
【００４４】
本発明は，半導体ウェーハ，ハードディスク用のアルミサブストレートやガラスサブストレート等の薄片試料の形状測定装置への利用が可能である。
【図面の簡単な説明】
【００４５】
【図１】第１発明の実施形態に係る形状測定装置Ｚ１の概略構成図。
【図２】光照射角度及び表面角度の定義を表す図。
【図３】形状測定装置Ｚ１に採用され得るテレセントリックレンズ方式のカメラの特性を表す図。
【図４】形状測定装置Ｚ１にテレセントリックレンズ方式のカメラを採用した場合の測定部位の表面角度と光路との関係を模式的に表した図。
【図５】形状測定装置Ｚ１により算出された測定部位の表面角度分布及びエッジプロファイルを表すグラフ。
【図６】形状測定装置Ｚ１に採用され得る非テレセントリックレンズ方式のカメラの特性を表す図。
【図７】形状測定装置Ｚ１に非テレセントリックレンズ方式のカメラを採用した場合の測定部位の表面角度と光路との関係を模式的に表した図。
【図８】測定部位の形状及び形状測定装置Ｚ１のカメラによる撮影画像の第１例を模式的に表した図。
【図９】測定部位の形状及び形状測定装置Ｚ１のカメラによる撮影画像の第２例を模式的に表した図。
【図１０】形状測定装置Ｚ１による撮影画像の一例を表す図。
【図１１】所定の演算対象位置における光照射角度と反射光輝度との対応関係の一例を表すグラフ。
【図１２】形状測定装置Ｚ１による測定手順を表すフローチャート。
【図１３】第２発明の実施形態に係る形状測定装置Ｚ２の概略構成を表す図。
【図１４】形状測定装置Ｚ２における厚み測定の原理を表す概念図。
【図１５】形状測定装置Ｚ２により得られる２台のカメラ各々に対応する表面角度分布及びエッジプロファイルのフィッティング処理前後の状態を表す図。
【図１６】形状測定装置Ｚ２の応用例である形状測定装置Ｚ２’の概略構成を表す図。
【図１７】形状測定の対象である半導体ウェーハにおける厚み測定に好適な位置を表す断面図。
【符号の説明】
【００４６】
Ｚ１，Ｚ２，Ｚ２’：形状測定装置
１  ：ウェーハ
１０：光照射装置
１１：ＬＥＤ駆動回路
１２：ＬＥＤ
１３：切り欠き部
２０，２０Ｒ，２０Ｌ：カメラ
３０，３０’：計算機
４０（４０Ｒ，４０Ｌ）：厚み測定用光源
５０…測定部位におけるウェーハの厚み方向の断面を含む平面
【図１】
2008298546.tif 000003
【図２】
2008298546.tif 000004
【図３】
2008298546.tif 000005
【図４】
2008298546.tif 000006
【図５】
2008298546.tif 000007
【図６】
2008298546.tif 000008
【図７】
2008298546.tif 000009
【図８】
2008298546.tif 000010
【図９】
2008298546.tif 000011
【図１０】
2008298546.tif 000012
【図１１】
2008298546.tif 000013
【図１２】
2008298546.tif 000014
【図１３】
2008298546.tif 000015
【図１４】
2008298546.tif 000016
【図１５】
2008298546.tif 000017
【図１６】
2008298546.tif 000018
【図１７】
2008298546.tif 000019